(57)【特許請求の範囲】
【請求項１】
半導体レーザから出力されたレーザ光を光ディスクに照射して前記光ディスクに形成されたランドエリアおよびグルーブエリアの一方に所望情報信号を記録するディスク装置において、
前記ランドエリアに前記所望情報信号を記録するときの前記半導体レーザの第１最適記録レーザパワー値を検出する第１検出手段、
前記グルーブエリアに前記所望情報信号を記録するときの前記半導体レーザの第２最適記録レーザパワー値を検出する第２検出手段、
前記第１最適記録レーザパワー値および前記第２最適記録レーザパワー値を比較する比較手段、および前記第１最適記録レーザパワー値が前記第２最適記録レーザパワー値よりも小さいとき前記ランドエリアを前記所望情報信号の記録先として決定し、前記第２最適記録レーザパワー値が前記第１最適記録レーザパワー値よりも小さいとき前記グルーブエリアを前記所望情報信号の記録先として決定する記録先決定手段を備えることを特徴とする、ディスク装置。
【請求項２】
前記ランドエリアが前記記録先として決定されたとき前記第１最適記録レーザパワー値で前記所望情報信号を記録し、前記グルーブエリアが前記記録先として決定されたとき前記第２最適記録レーザパワー値で前記所望情報信号を記録する所望情報記録手段をさらに備える、請求項１記載のディスク装置。
【請求項３】
前記第１検出手段は、前記半導体レーザに設定する記録レーザパワー値を段階的に切り換えながら所定情報信号を前記ランドエリアに記録する第１記録手段、前記第１記録手段によって記録された前記所定情報信号を前記ランドエリアから再生する第１再生手段、前記第１再生手段によって再生された前記所定情報信号の第１誤り率を検出する第１誤り率検出手段、前記第１誤り率検出手段によって検出された前記第１誤り率の中から第１最低誤り率を特定する第１特定手段、および前記第１最低誤り率に対応する記録レーザパワー値を前記第１最適記録レーザパワー値として決定する第１レーザパワー値決定手段を含み、前記第２検出手段は、前記半導体レーザに設定する記録レーザパワー値を段階的に切り換えながら所定情報信号を前記グルーブエリアに記録する第２記録手段、前記第２記録手段によって記録された前記所定情報信号を前記グルーブエリアから再生する第２再生手段、前記第２再生手段によって再生された前記所定情報信号の第２誤り率を検出する第２誤り率検出手段、前記第２誤り率検出手段によって検出された前記第２誤り率の中から第２最低誤り率を特定する第２特定手段、および前記第２最低誤り率に対応する記録レーザパワー値を前記第２最適記録レーザパワー値として決定する第２レーザパワー値決定手段を含む、請求項１または２記載のディスク装置。
【請求項４】
前記所定情報信号には誤り訂正符号が付加され、前記第１誤り率検出手段および前記第２誤り率検出手段の各々は前記誤り訂正符号に基づいて前記第１誤り率および前記第２誤り率を検出する、請求項３記載のディスク装置。
【発明の詳細な説明】
【０００１】
【産業上の利用分野】
この発明は、ディスク装置に関し、半導体レーザから出力されたレーザ光を光ディスクに照射して光ディスクに形成されたランドエリアおよびグルーブエリアの一方に所望情報信号を記録する、ディスク装置に関する。
【０００２】
【従来の技術】
光ディスクに記録された情報の再生信号の品質は、情報信号を記録する記録レーザパワーに左右される。再生信号の品質とは、再生信号に誤った信号がどれだけ含まれるかを示す。再生信号に含まれる誤り信号の割合は、誤り率と呼ばれ、誤り率が最も低くなる記録レーザパワーは、最適記録レーザパワーと呼ばれる。
【０００３】
最適記録レーザパワーの値は、ランドエリアとグルーブエリアとでは異なっている。
【０００４】
【発明が解決しようとする課題】
記録レーザのパワーは再生レーザのパワーよりも大きく、記録レーザの電力消費はディスク装置の電力消費の多くの部分を占めている。そのため、特に充電池を電力源とする携帯型のディスク装置では、記録レーザの電力消費がディスク装置の利便性に大きな影響を与えている。
【０００５】
それゆえに、この発明の主たる目的は、ディスク装置の電力消費を抑えることができる、ディスク装置を提供することである。
【０００６】
【課題を解決するための手段】
この発明は、半導体レーザから出力されたレーザ光を光ディスクに照射して前記光ディスクに形成されたランドエリアおよびグルーブエリアの一方に所望情報信号を記録するディスク装置において、前記ランドエリアに前記所望情報信号を記録するときの前記半導体レーザの第１最適記録レーザパワー値を検出する第１検出手段、前記グルーブエリアに前記所望情報信号を記録するときの前記半導体レーザの第２最適記録レーザパワー値を検出する第２検出手段、前記第１最適記録レーザパワー値および前記第２最適記録レーザパワー値を比較する比較手段、および前記第１最適記録レーザパワー値が前記第２最適記録レーザパワー値よりも小さいとき前記ランドエリアを前記所望情報信号の記録先として決定し、前記第２最適記録レーザパワー値が前記第１最適記録レーザパワー値よりも小さいとき前記グルーブエリアを前記所望情報信号の記録先として決定する記録先決定手段を備えることを特徴とする、ディスク装置である。
【０００７】
【作用】
この発明においては、所望情報信号の記録を行う前に、ランドエリアの最適記録レーザパワー値およびグルーブエリアの最適記録レーザパワー値に応じて所望情報信号の記録先をランドエリアおよびグルーブエリアのどちらかに決定する。まず第１検出手段がランドエリアに所望情報信号を記録するときの前記半導体レーザの第１最適記録レーザパワー値を検出し、第２検出手段がグルーブエリアに所望情報信号を記録するときの前記半導体レーザの第１最適レーザパワー値を検出する。つぎに、比較手段が、第１最適記録レーザパワー値および第２最適記録レーザパワー値を比較しどちらの最適記録レーザパワー値がより小さいかを判断する。比較手段の判断により、第１最適記録レーザパワー値が第２最適記録レーザパワー値よりも小さいときに、記録先決定手段は、ランドエリアを所望情報信号の記録先として決定し、第２最適記録レーザパワー値が第２最適記録レーザパワー値よりも小さいときに、記録先決定手段は、グルーブエリアを所望情報信号の記録先として決定する。
【０００８】
この発明の好ましい実施例では、記録先決定手段によって記録先が決定されると、所望情報記録手段が、所望情報信号を決定された記録先に記録する。このとき、所望情報記録手段は、記録先がランドエリアであれば第１最適記録レーザパワー値で所望情報信号を記録し、記録先がグルーブエリアであれば第２最適記録レーザパワー値で記録する。
【０００９】
この発明の好ましい実施例では、第１最適記録レーザパワー値および第２最適記録レーザパワー値をつぎのように決定する。第１最適記録レーザパワー値を決定するときには、まず第１記録手段が所定情報信号をランドエリアに記録する。このときに第１記録手段は、半導体レーザに設定する記録レーザパワー値を段階的に切り換えつつ記録する。つぎに第１再生手段が第１記録手段によって記録された所定情報信号をランドエリアから再生し、ランドエリアから再生された所定情報信号の誤り率である第１誤り率を第１誤り率検出手段が検出する。ランドエリアから再生された所定情報信号は段階的に異なる記録レーザパワー値によって記録されているので、所定情報信号の記録状態も段階的に異なっている。そのために、第１誤り検出手段が検出する第１誤り率は複数の誤り率を含んでいる。この第１誤り率の中から第１特定手段が、最も誤り率が低い第１最低誤り率を特定する。第１最低誤り率が特定されると、第１レーザパワー決定手段は、第１最低誤り率となった所定情報信号を記録したときの記録レーザパワー値を求め、この記録レーザパワー値を第１最適記録レーザパワー値とする。同様に、第２最適記録レーザパワー値を決定するときには、まず第２記録手段は、記録レーザパワー値を段階的に切り換えつつ所定情報信号をグルーブエリアに記録する。つぎに第２再生手段は、グルーブエリアに記録された所定情報を再生し、第２誤り率検出手段が、グルーブエリアから再生された所定情報信号の第２誤り率を検出する。さらに第２誤り検出手段は、複数の誤り率を含む第２誤り率を検出し、第２特定手段が、この第２誤り率の中から最も誤り率が低い第２最低誤り率を特定する。第２最低誤り率が特定されると、第２レーザパワー決定手段は、第２最低誤り率となった所定情報信号を記録したときの記録レーザパワー値を求め、この記録レーザパワー値を第２最適記録レーザパワーとする。
【００１０】
この発明の好ましい実施例では、第１記録手段および第２記録手段によって記録される所定情報信号には、再生された所定情報信号に含まれる誤り信号を検出することが可能となった誤り訂正符号が付加されており、第１誤り率検出手段および第２誤り率検出手段の各々は、この誤り訂正符号を用いて第１誤り率および第２誤り率を検出する。
【００１１】
【発明の効果】
この発明によれば、ランドエリアおよびグルーブエリアのうち、最適記録レーザパワーがより小さいエリアに所望の情報信号を記録するため、所望の情報信号を記録するときに消費する電力を低減できる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のディジタルカメラ１０は、被写体を撮影するイメージセンサ（固体撮像素子）１２を含む。イメージセンサ１２は、受光面に入射された被写体の光像に光電変換を施し、光像に対応する電荷（カメラ信号）を生成する。ディジタルカメラ１０は、静止画像および動画像の記録が可能であり、記録モード切換スイッチ３４によって記録モードが切り換えられる。
【００１４】
記録モード切換スイッチ３４によって静止画像記録モードが選択されているときにシャッタボタン３６が押し下げられると、システムコントローラ３２は、ＴＧ１４に対して１画面分のカメラ信号の全画素読み出し命令を与える。ＴＧ１４は、１画面に相当する期間だけ、イメージセンサ１２を全画素読み出し方式で駆動する。これによって、受光面で生成された静止画像のカメラ信号が、イメージセンサ１２から出力される。
【００１５】
一方、記録モード切換スイッチ３４によって動画像記録モードが選択されているときにシャッタボタン３６が押し下げられると、コントローラ３２は、ＴＧ１４に対してカメラ信号の間引き読み出し命令を与える。ＴＧ１４は、再度シャッタボタン３６が押し下げられるまでイメージセンサ１２を間引き読み出し方式で駆動し、これによってイメージセンサ１２から動画像のカメラ信号が出力される。
【００１６】
イメージセンサ１２から出力されたカメラ信号は、ＣＤＳ／ＡＧＣ回路１６に与えられる。ＣＤＳ／ＡＧＣ回路１６は、カメラ信号にノイズ除去およびレベル調整を施し、Ａ／Ｄ変換器１８に与える。Ａ／Ｄ変換機１８によってディジタル信号に変換されたカメラ信号は、信号処理回路２０によってＹＵＶ信号に変換され、さらにＹＵＶ信号にＪＰＥＧ圧縮が施される。圧縮されたＹＵＶ信号は、信号処理回路２０によってバッファメモリ２２に書き込まれる。バッファメモリ２２に格納された圧縮ＹＵＶ信号は、ディスク制御回路２４によって読み出され、光ピックアップ２６に設けられたレーザダイオード２６ａおよび磁気ヘッド２８によって光磁気ディスク３０に記録される。なお、光磁気ディスク３０としては、ＡＳ−ＭＯ（Advanced Storage Magneto Optical）のような着脱可能なディスクが用いられる。
【００１７】
光ピックアップ２６およびディスク制御回路２４は、具体的には図２に示すように構成されている。光磁気ディスク３０の径方向における光ピックアップ２６の位置は、スレッドサーボ機構４４によって制御される。また、光ピックアップ２６に設けられた光学レンズ２６ｃの光軸方向における位置は、フォーカスサーボ機構４０によって制御される。さらに、光磁気ディスク３０の径方向における光学レンズ２６ｃの位置は、トラッキングサーボ機構４２によって制御される。一方、レーザドライブ４６のレーザパワーは、ＭＰＵ５０から与えられる制御信号によって設定される。レーザドライブ４６は、設定されたレーザパワーでレーザダイオード２６ａを駆動する。こうして、所望のレーザパワーのレーザ光がレーザダイオード２６ａから発振される。
【００１８】
レーザダイオード２６ａから発振されたレーザ光は、光学レンズ２６ｃで収束されて光磁気ディスク３０の表面に照射される。レーザ光が照射されると、光磁気ディスク３０の光磁気膜の温度がキュリー温度まで上昇し、レーザの照射が止むと、光磁気膜の温度が低下する。光磁気膜の温度が一旦キュリー温度へ上昇してから低下するまでの間に磁気ヘッド２８によって磁界が加えられることによって、光磁気膜のレーザ照射された個所が磁気ヘッド２８の磁界の方向に応じて磁化される。これによって、所望の信号が光磁気ディスク３０に記録される。光磁気膜をキュリー温度まで上昇させるので、記録レーザパワーは再生レーザパワーよりも大きく、より多くの電力を消費する。この記録レーザによる電力の消費が光ディスク装置の電力消費に大きく影響する。
【００１９】
光磁気膜の磁化された個所の各々はピットと呼ばれ、各ピットの形状および磁化の程度は、ピット形成時のレーザ光のパワーによって異なる。したがって、情報信号を記録するときのレーザパワーが異なると、ピット列から読み取られる再生信号（ＲＦ信号）の品質も異なる。ここでのＲＦ信号の品質とは、ＲＦ信号の誤りの量を指す。
【００２０】
磁気ヘッド２８は、ＥＣＣエンコーダ６２から与えられるエンコード信号に応じて磁界を発生する。ＥＣＣエンコーダ６２は、ＭＰＵ５０から与えられる映像信号に誤り訂正符号（ECC:Error Correcting Code）を付加し、この誤り訂正符号を付加した映像信号に対応する制御信号を磁気ヘッド２８に与える。誤り訂正符号は、所定量の映像信号に対して付加される符号であり、誤り訂正符号が付加された映像信号の塊は、１ＥＣＣブロックと呼ばれ、さらに１ＥＣＣブロックはラインと呼ばれる信号の集合を複数含んでいる。ＥＣＣブロックは、ブロック内のディジタル信号に誤りが発生したときに、誤った信号（以下、「誤り信号」と呼ぶ）が一定の量以下であれば、誤り訂正符号を用いて自動的に訂正することができる。
【００２１】
光磁気ディスク３０に記録された映像信号を再生するときには、レーザドライブ４６がレーザダイオード２６ａを駆動してレーザ光を発振する。発振されたレーザ光は、光学レンズ２６ｃを介して光磁気ディスク３０の表面に照射される。光磁気ディスク３０の表面からの反射光は、同じ光学レンズ２６ｃを通過して光検出器２６ｂに入射される。光検出器２６ｂは、受け取った検出光に応じた信号（ＲＦ信号）をイコライザ３８に与える。イコライザ３８はＲＦ信号の周波数特性を補償し、ＰＲＭＬ４８（Partial Response Maximum Ｌikelihood）に与える。ＰＲＭＬ４８は、ＲＦ信号に基づいてディジタル信号を生成し、生成したディジタル信号をＥＣＣデコーダ５４に与える。ＥＣＣデコーダ５４は、ＰＲＭＬ４８から与えられたディジタル信号に含まれる誤り信号を１ＥＣＣブロック毎に誤り訂正するとともに、ＥＣＣデコーダ５４は、ＥＣＣブロックの１ライン中のどれだけの誤り信号を訂正したかを示す訂正量情報を符号誤り率算出回路５６に与える。符号誤り率算出回路５６は、ＥＣＣデコーダ５４から与えられた訂正量情報に基づいて誤り率を算出し、ＭＰＵ５０に与える。
【００２２】
なお、ＥＣＣデコーダ５４によって誤り訂正されたディジタル信号は、ディスク制御回路２４から出力され、バッファメモリ２２を介して信号処理回路２０に与えられる。ディジタル信号は信号処理回路２０によってＪＰＥＧ伸長され、モニタドライバ２５に与えられる。モニタドライバ２５はモニタ２７を駆動してディジタル信号をモニタ２７に映像として表示する。
【００２３】
光磁気ディスク３０はスピンドル（図示せず）の上に搭載され、スピンドルはシャフト６０を介してスピンドルモータ５８に連結されている。スピンドルモータ５８は、ＭＰＵ５０から与えられる制御信号に応じてシャフト６０を駆動する。シャフト６０の回転に伴ってスピンドル、つまり光磁気ディスク３０が回転する。また、スピンドルモータ５８は回転数に関連するＦＧ信号を発生し、このＦＧ信号はＭＰＵ５０に与えられる。ＦＧ信号に基づいてシャフト６０に連結されたスピンドル、つまり光磁気ディスク３０の回転数が適切に制御される。これによって、レーザダイオード２６ａから出力されたレーザ光が光磁気ディスク３０の所望の位置に照射され、信号が適切に記録／再生される。
【００２４】
光磁気ディスク３０の所望の位置にレーザ光を照射して信号を記録／再生した場合にも、ＲＦ信号には誤り信号が含まれる。上述したように、誤り信号の量は光磁気ディスク３０の光磁化膜にピットを形成するときのレーザパワーによっても左右される。光磁気ディスク３０は、情報を記録するエリアとしてランドエリアおよびグルーブエリアを備えており、同じレーザパワーで記録した場合でもランドエリアとグルーブエリアとで、再生される信号（ＲＦ信号）に含まれる誤り信号の量が異なってくる。さらに、同じ記録エリアに等しいレーザパワーで記録した場合にも、再生時に光磁気ディスク３０に照射する再生レーザパワーが異なると、再生信号に含まれる誤り信号の量が異なる。
【００２５】
通常、１ＥＣＣブロック内に含まれる誤り信号は、ＥＣＣデコーダ５４において誤り訂正符号を用いて正しい信号に訂正される。しかし、光磁気ディスク３０に記録する記録装置と再生する再生装置とが異なるときや、記録時と再生時とで温度および湿度などの外的要因が大きく異なるときなどには、誤り信号の量が増大し、誤り訂正符号による訂正能力を超える可能性がある。この場合には、誤り信号がそのまま出力されると、再生信号が静止画像であればその再生画像にノイズを生じる。
【００２６】
そこで、極力誤り信号の量が少なくなるようにランドエリアとグルーブエリアとのそれぞれについて最も誤り率が低くなる記録時および再生時のレーザパワーを決定する。さらに、電力消費を低減するためにランドエリアおよびグルーブエリアのうち、より記録レーザパワーが小さいエリアに優先的に情報を記録する。記録する情報が光磁気ディスクの半分の記憶容量で済む場合には、電力消費が小さい記録エリアにのみ情報を記録できるので、再生信号の品質を保ちつつ、ディスク装置の電力消費を低減することができる。
【００２７】
具体的には、まず、光磁気ディスク３０にランドエリアおよびグルーブエリアを含むテストエリア３０ａを設定する。つぎに、初期値の記録レーザパワーでテストエリア３０ａのランドエリアおよびグルーブエリアのそれぞれに誤り訂正符号を含む所定の信号（以下、「テスト信号」と呼ぶ）を記録する。つづいて、再生レーザパワーを数段階に変化させて、テストエリア３０ａの両エリアからテスト信号を再生し、誤り率が最も低くなる再生レーザパワー（以下、「最適再生レーザパワー」と呼ぶ）を両エリアについてそれぞれ決定する。さらに、記録レーザパワーを数段階に変化させて、テストエリア３０ａの両エリアにテスト信号を記録する。先に求めたそれぞれの最適再生レーザパワーで両エリアに記録したテスト信号を再生し、最も低い誤り率およびそのときの記録レーザパワー（以下、「最適記録レーザパワー」と呼ぶ）を両エリアについてそれぞれ決定する。なお、ここでいう誤り率とは、再生されたテスト信号に含まれる誤り信号の割合をさす。
【００２８】
ディジタルカメラ１０に設けられたディスク装着部のスピンドル（図示せず）に光磁気ディスク３０が装着され、電源ボタン３７が押し下げられると、システムコントローラ３２が起動信号をＭＰＵ５０に与える。すると、ＭＰＵ５０は、図３から図１２に示すフロー図を処理する。
【００２９】
ステップＳ１で、ＭＰＵ５０は、制御信号を送ってスピンドルモータ５８を駆動させる。これによって、シャフト６０を介してスピンドルに回転が伝わり、光磁気ディスク３０が回転する。ステップＳ３で、ＭＰＵ５０が制御信号を送りレーザドライブ４６をオンにする。ステップＳ５で、ランドエリアおよびグルーブエリアのそれぞれの最低誤り率を求める。ステップＳ５の詳細を図４のフロー図を用いて説明する。
【００３０】
まず、ステップＳ３１およびステップＳ３３で、ランドエリアおよびブルーブエリアにおける最適再生レーザパワーを決定する。つぎに、ステップＳ３５およびステップＳ３７で、ランドエリアおよびグルーブエリアにおける最適記録レーザパワーをそれぞれ決定する。
【００３１】
ＭＰＵ５０は、最適再生レーザパワーの決定の処理に使用するワークエリアとしてエリア５１ＬRP、５１ＬRE、５１ＧRP、５１ＧRE、ならびに最適記録レーザパワーの決定の処理に使用するワークエリアとしてエリア５１ＬWP、５１ＬWE、５１ＧWP、５１ＧREを備えている。エリア５１ＬRP、５１ＧRPはランドエリアおよびグルーブエリアの最適再生レーザパワーの値を格納するエリアであり、エリア５１ＬRE、５１ＧREは、それぞれの最適再生レーザパワーに対応する最低誤り率の値を格納するエリアである。また、エリア５１ＬWP、５１ＧWPはランドエリアおよびグルーブエリアの最適記録レーザパワーの値を格納するエリアであり、エリア５１ＬWE、５１ＧWEは、それぞれの最適記録レーザパワーに対応する最低誤り率の値を格納するエリアである。
【００３２】
ステップＳ３１の詳細を図５および図６のフロー図を用いて説明する。まず、ステップＳ４１で、記録レーザパワーを初期化する。ステップＳ４３で、ランドエリアへシークしてテスト信号を記録する。ステップＳ４５で、エリア５１ＬRE、５１ＬRPを初期化する。エリア５１ＬREには、ランドエリアの最低誤り率の値が格納され、エリア５１ＬRPには最低誤り率となる再生レーザパワー（最適再生レーザパワー）の値が格納される。なお、エリア５１REには、測定され得る最も高い誤り率以上の値を初期値として設定する。ステップＳ４７で、再生レーザパワーの初期値をレーザドライブ４６に設定する。ステップＳ４９で、再生レーザパワーの値が上限を超えるかどうかを判断する。上限を超えない場合は、ステップＳ５１に進み、テストエリア３０ａのランドエリアにシークして、現再生レーザパワーでテスト信号を再生する。つぎに、ステップＳ５３で、再生したテスト信号の誤り率を符号誤り率算出回路５６から取り込む。符号誤り率算出回路５６から取り込んだ誤り率を、「測定誤り率」と呼ぶ。ステップＳ５５で、測定誤り率の値と現在の最低誤り率であるエリア５１ＬREの値とを比較する。測定誤り率の値がエリア５１ＬREの値より小さい場合にはステップＳ５７に進み、エリア５１REに測定誤り率の値を格納して更新し、エリア５１ＬRPに現在の再生レーザパワーの値を格納して、ステップＳ５９に進む。ステップＳ５５で、測定誤り率の値がエリア５１ＬREの値以上の場合は、ステップＳ５９に進む。ステップＳ５９では、再生レーザパワーの値を所定レベル上昇させて、ステップＳ４９に戻る。再生レーザパワーの値が予め設定した上限を超えるまで、ステップＳ４９からステップＳ５９までの処理を繰り返す。これによって、初期値以上の再生レーザパワーの値において最も低い誤り率とそのときの再生レーザパワーの値が求まる。ステップＳ４９で、再生レーザパワーが上限を超えると判断されると、ステップＳ６１（図６）に進む。
【００３３】
ステップＳ６１では、再生レーザパワーの初期値をレーザドライブ４６に設定する。ステップＳ６３で、再生レーザパワーの値が下限を超えるかどうかを判断する。下限を超えない場合は、ステップＳ６５に進み、テストエリア３０ａのランドエリアにシークして、現再生レーザパワーをもってテスト信号を再生する。つぎに、ステップＳ６７で、ランドエリアから再生したテスト信号の誤り率を取り込む。ステップＳ６９で、測定誤り率の値とエリア５１ＬREの値とを比較する。測定誤り率の値がエリア５１ＬREの値より小さい場合にはステップＳ７１に進み、測定誤り率と現在の再生レーザパワーの値とをエリア５１ＬRE、エリア５１ＬRPのそれぞれに格納する。測定誤り率の値がエリア５１ＬREの値以上のときは、エリア５１ＬRE、エリア５１ＬRPに値を格納せず、ステップＳ７３に進む。ステップＳ７３で、再生レーザパワーの値を所定レベル降下させて、ステップＳ６３に戻る。再生レーザパワーの値が予め設定した下限を超えるまで、ステップＳ６３からステップＳ７３までの処理を繰り返し、下限を超えるとステップＳ３１（図４）を終了する。
【００３４】
これによって、ランドエリアに初期値の記録レーザパワーで記録したテスト信号を最も低い誤り率で再生できるレーザパワー（最適再生レーザパワー）が求まる。なお、エリア５１ＬRE（最低誤り率）の値は、エリア５１ＬRP（最適再生レーザパワー）の値を求める上で必要であったにすぎず、以降の処理では使用しない。
【００３５】
つぎに、ステップＳ３３で、グルーブエリアの再生レーザパワーを決定する。ステップＳ３３の詳細を図７および図８のフロー図に示す。処理手順は、テスト信号を再生する対象がグルーブエリアになった点を除いて、図５および図６のフロー図に示したランドエリアの最適再生レーザパワーを決定する処理手順と同じであるため、詳細の説明を省略する。ステップＳ８１からステップＳ１１３の処理によって、グルーブエリアに初期値の記録レーザパワーで記録したテスト信号を最も低い誤り率で再生できるレーザパワー（最適再生レーザパワー）がエリア５１ＧRPに、そのときの最低誤り率がエリア５１ＧREにそれぞれ求まる。また、エリア５１ＧRE（最低誤り率）の値も、エリア５１ＧRP（最適再生レーザパワー）の値を求める上で必要であったにすぎず、以降の処理では使用しない。
【００３６】
ランドエリアおよびグルーブエリアのそれぞれの最適再生レーザパワーが求まると、つぎにステップＳ３５で、ランドエリアの最適記録レーザパワーを求める。
【００３７】
初期値の記録レーザパワーで記録したテスト信号を再生することによって、再生レーザパワーを決定した。つぎに、記録レーザパワーを複数段階に変更してテスト信号を記録し、先に決定した最適再生レーザパワーでテスト信号を再生する。このときの再生信号の誤り率が最も低くなる記録レーザパワーを求める。これが最適記録レーザパワーである。ステップＳ４９の詳細を図９および図１０のフロー図を用いて説明する。
【００３８】
まず、ステップＳ１２１で、エリア５１ＬWEとエリア５１ＬWEとを初期化する。エリア５１ＬWPには、ランドエリアにテスト信号を記録する記録レーザパワーの値が格納され、エリア５１ＬWEには、エリア５１ＬWPの値のレーザパワーで記録したテスト信号を再生したときの誤り率が格納される。なお、エリア５１ＬWEは、測定され得る最も高い誤り率以上の値で初期化する。ステップＳ１２３で、再生レーザパワーの値としてエリア５１ＬRPの値を設定する。ステップＳ１２５で、記録レーザパワーを初期化する。ステップＳ１２７で、記録レーザパワーの値が、予め設定した上限の値を超えるかどうかを判断する。上限を超えないときは、ステップＳ１２９に進む。ステップ１２９では、ランドエリアにシークし、現在設定されている記録レーザパワーでテスト信号を記録する。ステップＳ１３１で、再びテストエリア３０ａのランドエリアにシークし、記録したテスト信号を最適再生レーザパワーで再生する。ステップＳ１３３で、再生したテスト信号から算出された誤り率を取り込み、ステップＳ１３５で、測定誤り率の値がエリア５１ＬWEの値よりも小さいかどうかを判断する。測定誤り率の値がエリア５ＬWEの値よりも小さいときには、ステップＳ１３７に進み、測定誤り率の値をエリア５１ＬWEに、現在の記録レーザパワーの値をエリア５１ＬWPにそれぞれ格納してステップＳ１３９に進む。測定誤り率の値がエリア５１ＬWEの値以上のときには、ステップＳ１３７をスキップしてステップＳ１３９に進む。ステップＳ１３９で、現在の記録レーザパワーの値を所定のレベル上昇して、ステップＳ１２７に戻る。ステップＳ１２７で、記録レーザパワーの値が上限を超えるまで、ステップＳ１２７からステップＳ１３９までの処理を繰り返し、上限を超えるとステップＳ１２７からステップＳ１４１（図１０）に進む。ステップＳ１２７からステップＳ１３９の処理を繰り返すことによって、初期値以上のパワーにおける最適記録レーザパワーおよび最低誤り率が求まる。
【００３９】
ステップＳ１４１以降では、初期値以下のレーザパワーにおける最適記録レーザパワーを求めるが、測定誤り率の値がエリア５１ＬWEにすでに格納されている値よりも小さいときのみエリア５１ＬWEおよびエリア５１ＬWPを更新する。したがって、初期値以下のレーザパワーにおける最適記録レーザパワーを求める処理が終了すると、記録レーザパワーの上限から下限の間における最適記録レーザパワーおよび最低誤り率が求まる。
【００４０】
ステップＳ１４１で、記録レーザパワーを再び初期化する。つぎに、ステップＳ１４３で、記録レーザパワーの値が予め設定した下限を超えるかどうかを判断する。下限を超えない場合には、テストエリア３０ａのランドエリアにシークして、現在の記録レーザパワーでテスト信号を記録する。ステップＳ１４７で再びランドエリアにシークしてテスト信号を再生する。ステップＳ１４９で、再生したテスト信号から算出した誤り率を取り込む。ステップＳ１５１で、測定誤り率の値とエリア５１ＬWEの値とを比較し、測定誤り率の値がエリア５１ＬWEの値より小さいときに、ステップＳ１５３に進み、測定誤り率の値がエリア５ＬWEの値以上のときに、ステップＳ１５５に進む。ステップＳ１５３では、測定誤り率の値をエリア５１ＬWEに、現在の記録レーザパワーの値をエリア５１ＬWPにそれぞれ格納する。ステップＳ１５５では、記録レーザパワーの値を所定のレベル降下してステップＳ１４３に戻る。ステップＳ１４３の判断で記録レーザパワーの値が下限を超えるまでステップＳ１４３からステップＳ１５５の間の処理を繰り返す。記録レーザパワーの値が下限を超えると、ステップＳ３５（図４）を終了する。
【００４１】
ステップＳ３５が終了してランドエリアの最適記録レーザパワーが決定すると、ステップＳ３７で、グルーブエリアの最適記録レーザパワーを決定する。
【００４２】
ステップＳ３７の詳細を図１１および図１２のフロー図に示す。誤り測定率の値と最適記録レーザパワーの値とを求める対象がランドエリアからグルーブエリアに変わった点を除いて図９および図１０に示したフロー図に示した処理手順と同じであるため、詳細な説明を省略する。なお、ステップＳ３７の処理の結果、エリア５１ＧWEにグルーブエリアにおける最低誤り率の値が格納され、エリア５１ＧWPに最適記録レーザパワーが格納される。
【００４３】
ステップＳ３７（図４）が終了すると、ステップＳ５（図３）が終了する。ステップＳ５が終了すると、ランドエリアの最低誤り率がエリア５１ＬWEに、最適記録レーザパワーがエリア５１ＬWPにそれぞれ格納されている。また、グルーブエリアの最低誤り率がエリア５１ＧWEに、最適記録レーザパワーがエリア５１ＧWPにそれぞれ格納されている。
【００４４】
ステップＳ７で、ディジタルカメラ１０の電源がオン状態と判断されると、ステップＳ９でシャッタボタン３６（図１）がオンされたかどうかを判断する。シャッタボタン３６がオフの間は、ステップＳ７およびステップＳ９を繰り返す。シャッタボタン３６がオンであると判断されるとステップＳ１１に進む。
【００４５】
ステップＳ１１では、エリア５１ＬWPの値とエリア５１ＧWPの値とを比較して、ランドエリアの最適記録レーザパワーおよびグルーブエリアの最適記録レーザパワーのどちらが小さいかを判断する。ランドエリアの最適記録レーザパワーの方が小さいときは、ステップＳ１３でランドエリアを記録エリアに決定し、ステップＳ１４で記録レーザパワーをエリア５１ＬWPの値に設定する。また、グルーブエリアの最適記録レーザパワーの方が小さいときは、ステップＳ１５でグルーブエリアを記録エリアに決定し、ステップＳ１６で記録レーザパワーをエリア５１ＧWPの値に設定する。ステップＳ１４またはステップＳ１６で、記録レーザパワーが設定されると、ステップＳ１７に進む。
【００４６】
ステップＳ１７で、記録モード切換スイッチ３４（図１）の状態から記録モードが静止画像記録モードであるか動画像記録モードであるか確認する。ステップＳ１９で、記録モードが静止画像記録モードであると判断されたときは、ステップＳ２１に進み、動画像記録モードであると判断されたときは、ステップＳ２５に進む。ステップＳ２１では、全画素読み出し方式でイメージセンサ１２から出力されたカメラ信号に対応する圧縮ＹＵＶ信号を決定済みの記録エリアに、設定されている最適記録レーザパワーで記録する。ステップＳ２３で記録を停止して、ステップＳ７に戻る。
【００４７】
ステップＳ２５では、シャッタボタン３６がオフであるかどうかを判断し、オフでないときは、ステップＳ２７に進む。ステップＳ２７では、決定済みの記録エリアに、間引き読み出し方式でイメージセンサ１２から出力された圧縮ＹＵＶ信号を最適記録レーザパワーで記録し、ステップＳ２５に戻る。こうして、シャッタボタン３６がオフになるまでステップＳ２５およびステップＳ２７を繰り返す。ステップＳ２５の判断で、シャッタボタン３６がオフにされたと判断されるとステップＳ２３に進み、動画像の記録を停止して、ステップＳ７に戻る。ステップＳ７で、電源スイッチがオフであると判断されると処理を終了する。
【００４８】
この実施例によれば、ランドエリアおよびグルーブエリアのうち最適記録レーザパワーが小さい方のエリアに静止画像信号および動画像信号の映像信号が記録される。また、記録するときの記録レーザパワーは、再生信号の誤り率が最も低くなる最適記録レーザパワーである。したがって、映像信号を高品質で記録するだけでなく、記録時の電力消費を低減でき、特に携帯型のディスク装置の利便性を向上できる。
【００４９】
なお、より記録レーザパワーが小さい記録エリアに空き領域が十分残っていない場合には、他方の記録エリアに映像信号を記録する。ただし、この場合にも、記録エリアにおける最適記録レーザパワーで記録する。
【００５０】
この発明は、上述の実施例に限らず種々に変更して実施してもよい。たとえば、静止画像信号もしくは静止画像信号を記録することしたが、これらの映像信号に限らずテキスト、プログラムなどあらゆる情報信号を記録信号とすることができる。
【００５１】
また、上述の実施例においては、ディジタルカメラの電源がオンとなったときにランドエリアおよびグルーブエリアの誤り率および最適記録レーザパワーを測定したが、光磁気ディスクを交換したとき、前回測定したときと比べて温度および湿度などの外的要因が大きく変化したとき、記録エリアの記録されるトラック位置が大きく変化したとき、および記録エリアから再生される映像信号の誤り率が増加したときなどにも、誤り率および最適再生／記録レーザパワーの測定を行うようにしてもよい。この場合には、記録条件が変化しても最高の記録品質の映像信号を低い消費電力で光磁気ディスクに記録保存することができる。
【図面の簡単な説明】
【図１】この発明を適用したディジタルカメラの概要を示すブロック図である。
【図２】図１のディスク制御回路およびピックアップの詳細を示すブロック図である。
【図３】この発明を適用したディジタルカメラのデータを記録する処理手順の一実施例を示すフロー図である。
【図４】図３のフロー図におけるステップＳ５の詳細な処理手順を示すフロー図である。
【図５】図４のフロー図におけるステップＳ３１の詳細な処理手順を示すフロー図である。
【図６】図５のフロー図に続く処理手順を示すフロー図である。
【図７】図４のフロー図におけるステップＳ３３の詳細な処理手順を示すフロー図である。
【図８】図７のフロー図に続く処理手順を示すフロー図である。
【図９】図４のフロー図におけるステップＳ３５の詳細な処理手順を示すフロー図である。
【図１０】図９のフロー図に続く処理手順を示すフロー図である。
【図１１】図４のフロー図におけるステップＳ３７の詳細な処理手順を示すフロー図である。
【図１２】図１１のフロー図に続く処理手順を示すフロー図である。
【符号の説明】
１０  …ディジタルカメラ
２６  …ピックアップ
２６ａ  …レーザダイオード
２６ｂ  …光検出器
２６ｃ  …光学レンズ
２８  …磁気ヘッド
３０  …光磁気ディスク
３０ａ  …テストエリア
５０  …ＭＰＵ
５４  …ＥＣＣデコーダ
５６  …符号誤り率算出回路
６２  …ＥＣＣエンコーダ
【図１】
0003663099.tif 000002
【図２】
0003663099.tif 000003
【図３】
0003663099.tif 000004
【図４】
0003663099.tif 000005
【図５】
0003663099.tif 000006
【図６】
0003663099.tif 000007
【図７】
0003663099.tif 000008
【図８】
0003663099.tif 000009
【図９】
0003663099.tif 000010
【図１０】
0003663099.tif 000011
【図１１】
0003663099.tif 000012
【図１２】
0003663099.tif 000013